(57)【要約】【課題】特別な計測器具を必要とせず、床暖房装置に使用する配管の穿孔を容易に検出できる。【解決手段】床暖房装置１は熱媒体を循環させる配管１２を床下地材２の上に設置し、配管を収容する収容溝２５を下面側に形成した床表面材２０を、配管が収容溝に収容するように床下地材上に釘１６等の固定具を用いて固定してあり、この配管の一端に手動ポンプ３０を取り付けると共に、配管の他端に風船３１を取り付け、手動ポンプ３０で配管内に外部空気を送り込んで風船３１を膨らませ、風船３１が収縮する形状変化により配管の穿孔を検出する。【選択図】  図５
2004177007.tif 000002
【特許請求の範囲】
【請求項１】
熱媒体を循環させる配管を床下地材の上に設置し、前記配管を収容する収容溝を下面側に形成した床表面材を、該配管が前記収容溝に収容するように前記床下地材上に固定した床暖房装置の配管の検査方法であって、
前記配管の一端にポンプを取り付けると共に、前記配管の他端に膨張体を取り付け、該ポンプで配管内に外部空気を送り込み、前記膨張体の形状変化により前記配管の穿孔を検出することを特徴とする床暖房装置の配管の検査方法。
【請求項２】
熱媒体を循環させる配管を床下地材の上に設置し、前記配管を収容する収容溝を下面側に形成した床表面材を、該配管が前記収容溝に収容するように前記床下地材上に固定した床暖房装置の配管の検査方法であって、
前記配管の一端を閉塞し、前記配管の他端より液体と、該液体と反応して気体を発生する物質とを注入して該他端を閉塞し、前記液体の圧力が高圧になることによって該液体が沁み出すことにより、前記配管の穿孔を検出することを特徴とする床暖房装置の配管の検査方法。
【請求項３】
前記配管は、基材シートに所定の間隔で並列に固定された配管付きシートとして構成され、前記床下地材上に前記配管付きシートを載置して設置し、その上に前記床表面材を固定することを特徴とする請求項１又は２に記載の床暖房装置の配管の検査方法。
【発明の詳細な説明】
【０００１】
【発明の属する技術分野】
本発明は、温水床暖房装置等に使用され、温水等の熱媒体が循環する配管の検査方法に係り、特に、床表面材を釘等で固定する際に、配管に釘等により穿孔が発生した場合に容易に確認できる検査方法に関する。
【０００２】
【従来の技術】
従来、この種の温水床暖房装置に使用する配管の検査方法としては、通常、ボイラー等の給湯暖房機器を設置する設備業者が、床表面材の下方に温水配管を敷設した後に、温水配管に水を充填しポンプで圧力をかけ、漏水がある場合は圧力が下がるのを検出して穿孔を検出している。
【０００３】
また、従来の他の床暖房埋設配管の漏水検出方法は、漏水を検出すべき配管内に導電性の液体を充填し、配管の温水導入部および温水流出部のうちの一方に、電極を配管内の導電性の流体に浸るように挿入し、電極と床面との間の電気抵抗値を計測している（例えば、特許文献１参照）。
【０００４】
【特許文献１】
特開平１０−２２７４６６号公報（図１）
【０００５】
【発明が解決しようとする課題】
ところで、前者の温水床暖房装置に使用する配管の検査方法は、ポンプや圧力計等の計測器具が必要であり、例えば床表面材を釘打ち固定する大工さんには漏水の検査をすることができなかった。そして、検査作業は配管に水を入れ、ポンプで水圧をかけ、栓をして水圧を保持し、確認後にポンプや栓を外すため、検査作業自体が煩雑で時間がかかる問題点があった。さらに、床表面材を全面に固定したあと漏水検査をするため、検査で異常が発見されたとき、どの場所で穿孔により漏水しているかを確認する必要があり、確認と補修に多大な時間がかかる問題点があった。
【０００６】
また、後者の漏水検出方法は、比較的良好な電気絶縁性を有するプラスチック配管は、漏水がない場合は大きな電気抵抗値を示すが、漏水がある場合は床面との間の電気抵抗値が低下することにより漏水を検出するものであるが、配管内に導電性の流体を充填するため、配管の温水導入部及ぶ温水流出部をヘッダー管から取外す必要があり、操作が煩雑であった。
【０００７】
本発明は、このような問題に鑑みてなされたものであって、その目的とするところは、温水等の熱媒体を循環させる配管の漏水等の検査を容易に行える温水床暖房装置等に使用する配管の検査方法を提供することにある。また、特別な計測器具を必要とせず、誰でも、いつでも配管の検査を容易に行える温水床暖房装置等に使用する配管の検査方法を提供することを目的とする。
【０００８】
【課題を解決するための手段】
前記目的を達成すべく、本発明に係る床暖房装置の配管の検査方法は、温水等の熱媒体を循環させる配管を床下地材の上に設置し、前記配管を収容する収容溝を下面側に形成した床表面材を、該配管が前記収容溝に収容するように前記床下地材上に、釘等の固定具を用いて固定した床暖房装置の配管の検査方法で、配管の一端に簡易的なポンプを取り付けると共に、配管の他端に風船等の膨張体を取り付け、該ポンプで配管内に外部空気を送り込み、風船等の形状変化により配管の穿孔を検出することを特徴とする。簡易的なポンプとしては、手動のポンプや、自転車の空気入れ等が適している。
【０００９】
前記のごとく構成された本発明に係る床暖房装置の配管の検査方法は、配管の一端の開口部に風船等の膨張体を取り付け、配管の他方の開口部には簡易的な手動のポンプを取り付けて、配管内に外部空気を送り込んで風船を膨張させる。配管に釘止め時に小さな孔が開くと、風船は一端膨張してから徐々に収縮するため、この形状の変化により配管の穿孔を容易に確認できる。
【００１０】
また、大きな孔が開いている場合は、手動ポンプで外部空気を送り込んでも風船はあまり膨張せず、この風船の形状変化により配管の穿孔を容易に確認できる。このように、特別な計測器具を用いることなく、風船等の膨張体と手動ポンプという簡単な器具により、風船があまり膨張しない場合や、一端膨張した風船が収縮する形状変化により、極めて容易に配管の穿孔を検出することができる。
【００１１】
本発明に係る床暖房装置の配管の検査方法の他の態様としては、前記と同様の床暖房装置の配管の検査方法であって、配管の一端を閉塞し、配管の他端より液体と、該液体と反応して気体を発生する発泡剤等の物質とを注入して該他端を閉塞し、液体の圧力が高圧になることによって該液体が沁み出すことにより、配管の穿孔を検出することを特徴とする。
【００１２】
このように構成された床暖房装置の配管の検査方法は、配管内に注入された水等の液体が発泡剤により気泡が発生して膨張し、配管内の圧力が上昇する。このため、配管に釘止めの際に穿孔が生じると、この穿孔から水が噴出して床下地材と床表面材との間から沁み出し、特別な計測器具を用いないでも、配管に孔が開いていることを容易に検出できる。発泡剤としては重曹（重炭酸ナトリウム）が好適である。
【００１３】
また、本発明に係る床暖房装置に使用する配管の検査方法の好ましい具体的な態様としては、前記配管は、基材シートに所定の間隔で並列に固定された配管付きシートとして構成され、床下地材上に配管付きシートを載置して設置し、その上に床表面材を固定することを特徴としている。この構成によれば、配管は所定の間隔で並列に固定されているので、基材シートを床下地材上に載置するだけで配管を整列でき、床暖房装置を効率良く形成することができる。
【００１４】
【発明の実施の形態】
以下、本発明に係る床暖房装置の配管の検査方法の一実施形態を図面に基づき詳細に説明する。図１は、本実施形態に係る配管の検査方法を実施する温水床暖房装置に使用する配管付きシートを示す一部を拡大した斜視図、図２は、温水床暖房装置の施工状態を示す要部断面図、図３は、図２の施工後の要部断面図である。
【００１５】
図１〜３において、本実施形態の配管の検査方法を実施する温水床暖房装置１は、床下地材である床基板２の上、例えば、捨て貼り合板３を貼り付けた床基板２の上に、温水を循環させる配管付きシート（以下、温水シートという）１０を、そのまま、すなわち、接着剤を塗布することなく敷設する。温水シート１０は、基材シート１１として断熱性のある合成樹脂製シートを用いており、所要の広さを持つシート上に、配管１２をホットメルト型接着剤により所定間隔をおいてＵターンさせ並列に固定している。配管１２は、例えば、架橋ポリエチレンパイプ製のパイプで形成されている。温水シート１０は、例えば３×１．８ｍ、あるいは１．８×１．８ｍ程度の大きさが好ましい。
【００１６】
基材シート１１には配管の中間部に直径が５ｍｍ程度の多数の貫通孔１１ａが縦横に形成されている。配管１２の端部は基材シート１１から延出しており、両端部には雄型コネクタ１３と雌型コネクタ１４が連結されている。この温水シート１０は、床暖房の施工現場以外の場所、例えば工場などで製造され、施工現場に搬入され、雄型コネクタ１３と雌型コネクタ１４を連結して温水を導入するものである。
【００１７】
温水床暖房装置１は温水シート１０を床基板２の上に設置し、その後で、温水シート１０の上に接着剤１５と共に床表面材２０を配置する。床表面材２０としては、従来の床暖房において用いられてきたものを適宜用いることができるが、この例では、上層部の化粧合板２１と下層部の下地合板２２との間に均熱材としてのアルミ箔２３を練り合わせた木質フロア材を用いている。該床表面材２０の裏面には、温水シート１０の上に固定してある配管１２を収容することのできる収容溝２５が形成されている。
【００１８】
接着剤１５は、床表面材２０の裏面における収容溝２５以外の部位に線状あるいは点状に塗布することが好ましく、配置してある基材シート１１における配管１２と配管１２の間の領域に、同様に線状あるいは点状に塗布するようにしてもよい。また、双方に塗布するようにしてもよい。その後、接着剤１５が未硬化のうちに床表面材２０を、その収容溝２５に配管１２が収納されるようにして、上から押し付ける。それにより、接着剤１５は図３に示すように、基材シート１１の貫通孔１１ａを透過して、床基板２の表面にまで到達する。
【００１９】
その状態で接着剤１５の硬化するのを待つ。その際に、必要な場合には床表面材２０の上に適当な負荷をかけておくと共に、例えば端部あるいは側部の実部に対応して固定具として釘１６を、好ましくは４５度程度の角度をつけて打ち込む。釘１６は床表面材２０の長辺方向の実部と、短辺方向の実部の両方に打ち込むと固定状態が安定する。接着剤１５の硬化により、基材シート１１と床表面材２０と床基板２とは一体に接着固定され、所要枚数の床表面材２０を床基板２に固定して本実施形態の温水床暖房装置１が完成する。
【００２０】
このようにして完成された温水床暖房装置１は、床表面材２０の実部に釘１６を打ち込むときに誤って配管１２に損傷を与えることがある。損傷としては、釘１６が貫通して配管１２に穿孔が発生する場合や、孔が開かなくて釘１６により配管１２が潰される場合等がある。本発明は、前記のようにして配管１２に穿孔が発生したとき、誰でも、特別な計測器具を使用することなく、容易に穿孔を検出できる検査方法を提供する。
【００２１】
本実施形態に係る配管の検査方法は、図４，５に示すように、配管１２の一端の雄コネクタ１３の開口に膨張体として手動ポンプ３０を取り付けると共に、配管１２の他端の雌コネクタ１４の開口に風船３１を取り付ける。そして、手動ポンプ３０で配管１２内に外部空気を送り込み、風船３１の形状変化により配管１２の穿孔を検出する。具体的には、手動ポンプ３０で配管１２内に外部空気を送り込むと、配管１２の他端に取り付けた風船３１が膨らむ。配管１２に釘打ちにより小さな穿孔が発生していると、膨張したあと風船３１が徐々に収縮するため、風船３１の形状変化により穿孔があることを検出することができる。
【００２２】
また、配管１２に大きな孔が開いている場合は、手動ポンプ３０を作動させて外部空気を配管１２内に送り込んでも風船３１はあまり膨張しないため、配管１２に大きな孔が開いていることを極めて容易に検出することができる。この検査は、床表面材２０を固定するたびに、特別な器具を用いることなく大工さんが行うことができるため、温水シート１枚に対応する上部に床表面材２０を固定するたびに穿孔検査を行うと、穿孔が発生した場合の補修が直ちに行える。このため、床表面材２０を全面に張って固定したあと漏水が検出された場合と比較して、補修作業が極めて容易となる。
【００２３】
床表面材２０は所定の枚数で梱包されるが、１つの梱包に対して１つの手動ポンプ３０と風船３１を同梱することにより、所定の枚数の床表面材２０を床基板２上に張って固定するたびに、温水シート１０の配管１２の穿孔検査を実施することができる。このようにすると、従来のように床基板２の全面上に床表面材２０を固定して検査し、その段階で穿孔が発見された場合の補修と比較して、補修作業が極めて容易となる。本実施形態の検査方法によれば、検査作業が単純で短時間に終了するため、温水シート単位で床表面材を固定するたびに検査することが容易に行える。
【００２４】
つぎに、本発明の他の実施形態を図６に基づき詳細に説明する。図６は本発明に係る床暖房装置の配管の検査方法を示す他の実施形態の要部斜視図である。なお、この実施形態は配管内に高圧の液体を封入し、配管に釘打ちで孔が開いた場合に、配管の穿孔から高圧液体が沁み出すことを利用して穿孔が発生したことを検査することを特徴とする。そして、他の実質的に同等の構成については同じ符号を付して詳細な説明は省略する。
【００２５】
図６において、床基板と床表面材とに挟まれた状態で固定された温水シート１０は、配管１２の先端に雄コネクタ１３と雌コネクタ１４とが連結されている。本実施形態では雄コネクタ１３はキャップ４０で開口部が閉塞され、配管内部に液体として温水３５を充満し、温水と反応して気体を発生する物質を注入して配管の他端の開口部を閉塞する。そして、配管内部の液体が高圧の状態となり、穿孔部分から漏れて沁み出すことにより、配管に孔が開いたことを検出するものである。
【００２６】
この実施形態により配管１２の穿孔を検査するときは、前記の温水床暖房装置１に使用している配管１２の両端部を用いて、開口している配管の一端部の雄コネクタ１３にキャップ４０を被せることにより一端の開口を閉塞する。そして、他方の配管の開口部である雌コネクタ１４から液体として温水３５を注入する。温水３５を配管１２内の気泡を除去して充満させるために、キャップ４０を外した状態で温水を注入すると容易に充満させることができる。温水３５を使用するのは、気体の発生を活発にするためである。配管１２内に温水３５を充満させてから、温水と反応して気体を発生する物質として重曹３６（重炭酸ナトリウム）の微細結晶を注入し、他端の開口部も栓４１で閉塞する。なお、重曹３６は発泡剤として機能するものであり、他の発泡剤を使用してもよい。
【００２７】
配管１２の内部では、重曹３６が温水３５に溶けて炭酸ガスを発生し、配管１２は両端のコネクタ１３，１４の開口部が閉塞されているため、内部が高圧となる。このため、配管１２に穿孔があると、高圧の温水３５は穿孔部分から漏れ出し、床基板２と床表面材２０との間から沁み出し、釘により発生した穿孔を容易に検出することができる。しかも、特別な計測器具を使用しないで、誰でも容易に検査することが可能となる。なお、温水に着色を施すと、温水が沁み出した部分を容易に確認できる。
【００２８】
床表面材２０を大工さんが固定するときに、所定の枚数の床表面材の梱包内に重曹３６を同梱しておくと、１枚の温水シート１０上に床表面材２０を固定するたびに配管１２の穿孔を確認できるため、前記の実施形態と同様に、全面に床表面材２０を張ったあと補修するのに比較して、穿孔が発生した場合の補修作業が極めて容易となる特徴を有する。
【００２９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、配管は基材シート上に所定の間隔でもって並列に固定した配管付きシートの例を示したが、床下地材に直接配管を固定するようにした床暖房装置にも本発明を適用できることは勿論である。膨張体として風船の例を示したが、空気等の気体が注入されて膨張し、配管の内部の気体が流出した場合に収縮する性質を有するものであれば、風船に限られるものでない。
【００３０】
また、基材シートとして合成樹脂製のシートの例を示したが、不織布のような断熱性のあるシートを用いて、接着剤が透過するもので形成すれば、基材シートを貫通する孔は不要である。基材シートにミシン目等の透過部を形成することで、接着剤は基材シートを透過して床下地材と床表面材とを接着することができる。基材シートとして、上面がアルミ箔フィルムで、下面が合成樹脂シートの複合シートを用いると、床表面材にアルミ箔を介在させなくても床表面材の表面温度を略均等にでき、均熱材としての機能を達成することができる。第１の実施形態で使用するポンプとしては、簡易的な電動式のポンプを使用することもできる。さらに熱媒体としては、温水に限られるものでなく、他の熱媒体を使用してもよい。
【００３１】
【発明の効果】
以上の説明から理解できるように、本発明の床暖房装置の配管の検査方法は、特別な計測器具を使用することなく、いつでも、誰でも容易に配管の孔を検出することができる。このため、配管の穿孔による漏水が発生しても、補修作業が容易に行える。
【図面の簡単な説明】
【図１】本発明に係る配管の検査方法の一実施形態を実施する温水床暖房装置に使用する配管付きシートを示す一部を拡大した斜視図。
【図２】温水床暖房装置の施工状態の要部断面図。
【図３】図２の施工後の要部断面図。
【図４】本発明に係る温水床暖房装置の配管の検査方法の実施形態を示す要部斜視図。
【図５】図４の配管の穿孔を検査する動作状態を示す斜視図。
【図６】本発明に係る温水床暖房装置の配管の検査方法の他の実施形態を示す要部斜視図。
【符号の説明】
１…温水床暖房装置、２…床基板（床下地材）、１０…温水シート（配管付きシート）、１１…基材シート、１１ａ…貫通孔、１２…配管、１３…雄コネクタ、１４…雌コネクタ、１５…接着剤、１６…釘（固定具）、２０…床表面材、２５…収容溝、３０…手動ポンプ、３１…風船、３５…温水、３６…重曹（発泡剤）、４０…キャップ、４１…栓
【図１】
2004177007.tif 000003
【図２】
2004177007.tif 000004
【図３】
2004177007.tif 000005
【図４】
2004177007.tif 000006
【図５】
2004177007.tif 000007
【図６】
2004177007.tif 000008